(57)【特許請求の範囲】
【請求項１】
光コネクタのプラグと接続する光コネクタのソケットであって、前記プラグが挿入される挿入穴部が形成されたハウジング部と、前記挿入穴部の入口側に軸部を有するヒンジ構造によって取り付けられ、この挿入穴部を略閉塞するためのシャッタ部と、このシャッタ部を前記入口側へ付勢する弾性体部とを具備しており、前記挿入穴部は、前記シャッタ部を格納するスペースを有し、前記ハウジング部は、シャッタ部が取り付けられる穴部を有する第１のハウジング部と、前記第１のハウジング部が挿入される穴部を有する第２のハウジング部とを有しており、前記挿入穴部の奥側には、光素子が設けられる素子部屋部を有しており、前記光素子は、前記素子部屋部において、前記第１のハウジング部と第２のハウジング部とで挟持されており、前記プラグを挿入穴部に挿入する際に、前記シャッタ部は、プラグのプラグ先端部によって押圧されて挿入穴部の内側へ入り込み、接続を完了すると前記スペースに格納され、前記プラグの一側面に設けられた位置決め用凸部が前記シャッタ部の前面に設けられた位置決め用凹部に挿入されるようになっていることを特徴とする光コネクタのソケット。
【請求項２】
前記第２のハウジング部には、前記光素子を挿入するための透孔が設けられ、前記素子部屋部は、前記第１のハウジング部と前記第２のハウジング部により構成されていることを特徴とする請求項１記載の光コネクタのソケット。
【請求項３】
光コネクタのプラグと接続する光コネクタのソケットであって、前記プラグが挿入される挿入穴部が形成されたハウジング部と、前記挿入穴部の入口側に軸部を有するヒンジ構造によって取り付けられ、この挿入穴部を略閉塞するためのシャッタ部と、このシャッタ部を前記入口側へ付勢する弾性体部とを具備しており、前記挿入穴部は、前記シャッタ部を格納するスペースを有し、前記プラグを挿入穴部に挿入する際に、シャッタ部は、プラグの先端部によって押圧されて挿入穴部の内側へ入り込み、接続完了するとスペースに格納される光コネクタのソケットにおいて、前記ハウジング部は、シャッタ部が取り付けられる穴部を有する第１のハウジング部と、前記第１のハウジング部が挿入される穴部を有する第２のハウジング部とを有しており、前記挿入穴部の奥側には、光素子が設けられる素子部屋部を有しており、前記光素子は、前記素子部屋部において、前記第１のハウジング部と第２のハウジング部とで挟持されて固定されており、前記シャッタ部が、挿入穴部の入口側から所定の位置まで移動したときに、このシャッタ部によって操作されるスイッチが設けられ、良導電性とした前記弾性体部を、前記シャッタ部が前記挿入穴部の入口側から所定の位置まで移動したときに、スイッチの固定切片部と接触する可動切片部として働かせることを特徴とする光コネクタのソケット。
【請求項４】
請求項１、２又は３記載の前記弾性体部の代わりに、前記シャッタ部と、前記プラグが前記挿入穴部に挿入されたとき前記シャッタ部と対向する部分とに、磁石を反発するように対向して設けることを特徴とする光コネクタのソケット。
【請求項５】
請求項１、２、３又は４記載の光コネクタのソケットがデジタルオーディオ機器に設けられることを特徴とする光コネクタのソケット。
【発明の詳細な説明】
【０００１】
【発明の属する技術分野】
本発明は、据置用のＤＶＤ( 登録商標) 、ＴＶ、ＳＴＢ（セットトップボックス：衛星放送のアダプタ装置）、ＣＤ、ＭＤ( 登録商標) 、アンプ等のデジタル信号を出力または／および入力する装置に設けられている光コネクタのソケットであって、特に、角型の光コネクタのプラグと接続する光コネクタのソケットに関する。
【０００２】
【従来の技術】
光コネクタのソケット（以下、単に「ソケット」とも呼ぶ。）は、このソケットの挿入穴部に、光コネクタのプラグが挿入されていないときに、埃等が入り込むと、挿入穴部の奥側に設置されている光素子が汚れる等して、光伝達効率が落ちて、所定の光信号伝達ができなくなるおそれがある。そのため、従来の光コネクタのソケットの場合には、一般的に、挿入穴部の内部構造に略等しい形状を有したキャップが別途準備されていて、プラグが挿入されていないときに、挿入穴部に嵌め込まれることによって、埃等の侵入を防いでいる（例えば、特許文献１参照）。
【０００３】
【特許文献１】
実開平７−１９７１３号公報（第４頁  図３）
【０００４】
【発明が解決しようとする課題】
しかしながら、このキャップは、ソケットとは分離したものであるため、使用時にキャップをはずした後に紛失し易い。紛失して、そのままにしておくと、上述したように、光素子が汚れる等して、所定の光信号伝達ができなくなるおそれが高くなる。つまり誤動作する場合があり、光コネクタのソケットの信頼性が低くなっていた。
【０００５】
一方、このようにソケットの挿入穴部に、光コネクタのプラグが挿入されていないとき、つまり信号伝達をする必要のないときでも、この光コネクタのソケットが設けられている装置の電源がオンされると、光コネクタのソケットの光素子が常時動作状態となっていた。そのため、光素子の寿命、ひいてはソケットの寿命を大幅に縮めていた。これにより、光素子の汚れの程度が比較的小さくても、所定の光信号伝達ができなくなり易かった。よって、この点からも光コネクタのソケットの信頼性が低くなっていた。
【０００６】
また、このように装置の電源がオンされると、光素子が常時動作状態となっていたために、装置全体の消費電力を押し上げるという好ましからざる状態にあった。
【０００７】
本発明の主たる目的は、光コネクタのソケットの信頼性を高く維持することのできる光コネクタのソケットを提供することにある。また、プラグを光コネクタのソケットに接続した状態でプラグの位置決めを確実にし、併せて、光コネクタのソケットが設けられた装置の消費電力の低減を図ることのできる光コネクタのソケットを提供することにある。
【０００８】
【課題を解決するための手段】
上記問題を解決するために、本発明の請求項１に係る光コネクタのソケットは、光コネクタのプラグと接続する光コネクタのソケットであって、前記プラグが挿入される挿入穴部が形成されたハウジング部と、前記挿入穴部の入口側に軸部を有するヒンジ構造によって取り付けられ、この挿入穴部を略閉塞するためのシャッタ部と、このシャッタ部を前記入口側へ付勢する弾性体部とを具備しており、前記挿入穴部は、前記シャッタ部を格納するスペースを有し、前記ハウジング部は、シャッタ部が取り付けられる穴部を有する第１のハウジング部と、前記第１のハウジング部が挿入される穴部を有する第２のハウジング部とを有しており、前記挿入穴部の奥側には、光素子が設けられる素子部屋部を有しており、前記光素子は、前記素子部屋部において、前記第１のハウジング部と第２のハウジング部とで挟持されており、前記プラグを挿入穴部に挿入する際に、前記シャッタ部は、プラグのプラグ先端部によって押圧されて挿入穴部の内側へ入り込み、接続を完了すると前記スペースに格納され、前記プラグの一側面に設けられた位置決め用凸部が前記シャッタ部の前面に設けられた位置決め用凹部に挿入されるようになっている。
【０００９】
よって、本発明の請求項１に係る光コネクタのソケットの場合には、埃等の侵入を防止する手段としてのシャッタ部が、挿入穴部の入口側に開閉可能に一体化されている。このシャッタ部は、弾性体部によって、挿入穴部の入口側へ付勢されているので、プラグが挿入穴部に挿入されていないときには、挿入穴部を略閉塞（「略閉塞」とは、埃等の侵入をほぼ阻止できる程度の閉塞状態であることを指す。以下同様。）している。プラグが挿入穴部に挿入されると、シャッタ部は、挿入穴部のスペースに格納される。また、この後、プラグが挿入穴部から抜かれると、シャッタ部は、基本的に、弾性体部によって、挿入穴部の入口側へ自動復帰する。
【００１０】
また、本発明の請求項１に係る光コネクタのソケットの場合には、第１と第２との２つのハウジング部に分離できるようになっている。第１のハウジング部の穴部と第２のハウジング部の穴部の奥側とで前記挿入穴部が構成されることから、第１のハウジング部の穴部の奥側に、前記挿入穴部から第２のハウジング部の穴部の奥側に相当する部分を取り除いてできる開口が設けられていることになる。前記シャッタ部は第１のハウジング部の穴部に取り付けられるので、前記奥側に設けられている開口を、光コネクタのソケットを組み立てる際に利用でき、シャッタ部のセット作業をし易くできる。また、２つのハウジング部に分けたことで、金型を、より単純化できる等により、ソケットの量産性等を向上させることができる。
【００１１】
また、光素子が、前記素子部屋部において、前記第１のハウジング部と第２のハウジング部とで挟持されて固定されるようにして、前記挿入穴部に挿入される光コネクタのプラグの中心軸と、光素子の光軸とを精度よく合わせることができるようにしている。また、前記挟持されて固定されるようにして、光素子のセット作業が容易になるようにしている。更に、プラグを光コネクタのソケットに接続した状態では、プラグの位置決めが確実となるようにしている。
【００１２】
本発明の請求項２に係る光コネクタのソケットにおいては、前記第２のハウジング部には、前記光素子を挿入するための透孔が設けられ、前記素子部屋部は、前記第１のハウジング部と前記第２のハウジング部により構成されている。
【００１３】
従って、この請求項２に係る光コネクタのソケットの場合には、光素子を第２のハウジング部を介して挿入した後、第１のハウジング部を第２のハウジング部に取り付けるため、光素子の素子部屋部へのセットが容易となる。
【００１４】
本発明の請求項３に係る光コネクタのソケットは、光コネクタのプラグと接続する光コネクタのソケットであって、前記プラグが挿入される挿入穴部が形成されたハウジング部と、前記挿入穴部の入口側に軸部を有するヒンジ構造によって取り付けられ、この挿入穴部を略閉塞するためのシャッタ部と、このシャッタ部を前記入口側へ付勢する弾性体部とを具備しており、前記挿入穴部は、前記シャッタ部を格納するスペースを有し、前記プラグを挿入穴部に挿入する際に、シャッタ部は、プラグの先端部によって押圧されて挿入穴部の内側へ入り込み、接続完了するとスペースに格納される光コネクタのソケットにおいて、前記ハウジング部は、シャッタ部が取り付けられる穴部を有する第１のハウジング部と、前記第１のハウジング部が挿入される穴部を有する第２のハウジング部とを有しており、前記挿入穴部の奥側には、光素子が設けられる素子部屋部を有しており、前記光素子は、前記素子部屋部において、前記第１のハウジング部と第２のハウジング部とで挟持されて固定されており、前記シャッタ部が、挿入穴部の入口側から所定の位置まで移動したときに、このシャッタ部によって操作されるスイッチが設けられ、良導電性とした前記弾性体部を、前記シャッタ部が前記挿入穴部の入口側から所定の位置まで移動したときに、スイッチの固定切片部と接触する可動切片部として働かせる。
【００１５】
本発明の請求項３に係る光コネクタのソケットの場合には、スイッチの一方側に前記弾性体部を兼用している。
【００１６】
本発明の請求項４に係る光コネクタのソケットは、請求項１、２又は３記載の前記弾性体部の代わりに、前記シャッタ部と、前記プラグが前記挿入穴部に挿入されたとき前記シャッタ部と対向する部分とに、磁石を反発するように対向して設けることを特徴とすることもできる。
【００１７】
よって、本発明の請求項４に係る光コネクタのソケットの場合には、弾性体部の代わりに磁石の反発力によって、シャッタ部が、挿入穴部の入口側へ自動復帰するようにしている。
【００１８】
本発明の請求項５に係る光コネクタのソケットは、ＤＶＤ（登録商標）、ＴＶ、ＳＴＢ（セットトップボックス）、ＣＤ、ＭＤ（登録商標）、アンプ等のデジタルオーディオ機器に設けられるものである。
【００１９】
本発明に係る光コネクタのソケットは、前記デジタルオーディオ機器に設けられることで特に有益に機能する。
【００２０】
【発明の実施の形態】
以下、本発明の第１の実施の形態に係る光コネクタのソケット２００′を図１〜図６を参照しつつ説明する。尚、この本発明の第１の実施の形態に係る光コネクタのソケット２００′は、本発明の請求項１に係る光コネクタのソケットの実施の形態を示すものである。
【００２１】
図１は本発明の第１の実施の形態に係る光コネクタのソケットに用いられる第２のハウジング部を示す図であって、同図（Ａ）は側面図、同図（Ｂ）は正面図、同図（Ｃ）は断面図、同図（Ｄ）は背面図、同図（Ｅ）は底面図、図２は本発明の第１の実施の形態に係る光コネクタのソケットに用いられる第１のハウジング部を示す図であって、同図（Ａ）は側面図、同図（Ｂ）は正面図、同図（Ｃ）は断面図、同図（Ｄ）は背面図、同図（Ｅ）は底面図、同図（Ｆ）は同図（Ｅ）のＪで指示した部分の拡大図、図３は本発明の第１の実施の形態に係る光コネクタのソケットの組み立て方を説明するための説明図であって、同図（Ａ）から同図（Ｆ）の方向に組み上がっている様子を示している。ただし、同図（Ｅ）は光素子を設置していない状態を示す参考図である。
【００２２】
また、図４は本発明のすべての実施の形態に係る光コネクタのソケットに接続させるＥＩＡＪ規格の角型プラグを示す図であって、同図（Ａ）は正面図、同図（Ｂ）は一部破断した側面図である。
【００２３】
本発明の第１の実施の形態に係る光コネクタのソケット２００′は、図４に示されるようなＥＩＡＪ規格の角型プラグ１００と接続するものである。
【００２４】
角型プラグ１００は、光ファイバ１１０の端部側に設けられており、略直方体状のプラグ本体部１２０と、このプラグ本体部１２０の先端側に突設された係合凸部１５０とからなる。
【００２５】
係合凸部１５０は、正面視においてホームベースの下側をカットしたような略六角形状（以下、この形状を「正面視略六角形状」と略す。）をしており、全体が後述のソケット２００′等の挿入穴部２２０′等に係合される部分である。この係合凸部１５０は、プラグ本体部１２０側の部分であり、その先端側に凹を有する係合凸部本体１５１と、この係合凸部本体１５１の先端側であって、前記凹の中心部分に突設され、後述のソケット２００′等のプラグ先端保持部２２９′等（または突出部９００）と係合するプラグ先端部１５９とを有している。前記凹内のプラグ先端部１５９の周囲は凹部１５２となっている。
【００２６】
係合凸部本体１５１は、正面視略六角形状をしており、その両側面に、後述のソケット２００′等の挿入穴部２２０′等のプラグガイド用凹部２２１′、２２１′と係合する挿入ガイド用凸部１５１ａ、１５１ａが突設されている。係合凸部本体１５１は、その上下面に、位置決め用凸部１５１ｂ、１５１ｂが突設されている。係合凸部本体１５１は、下面側に、正面視略六角形状の２つの斜辺部分の斜辺面１５１ｃ、１５１ｃを有している。係合凸部本体１５１は、その先端面にテーパ１５１ｔが設けられている。
【００２７】
凹部１５２は、後述のソケット２００′等の挿入穴部２２０′等の奥側に設けられているプラグ先端保持部２２９′等（または突出部９００）が、ＥＩＡＪ規格の奥行き寸法を有したもの（つまり突出部９００）であれば、この突出部分と係合する部分である。
【００２８】
プラグ先端部１５９は、正面視円形であり、光ファイバ１１０の先端側部分の外周を保護樹脂部１５９ａで覆った部分である。この保護樹脂部１５９ａの先端には、テーパ１５９ｔが設けられている。尚、保護樹脂部１５９ａは、係合凸部本体１５１の延設部分である。つまり、係合凸部本体１５１も樹脂製である。
【００２９】
第１の実施の形態に係る光コネクタのソケット２００′は、図１〜３に示すように、光コネクタの角型プラグ１００と接続する光コネクタのソケットであって、前記角型プラグ１００が挿入される挿入穴部２２０′と、この挿入穴部２２０′の入口側にヒンジ構造によって取り付けられ、この挿入穴部２２０′を略閉塞するためのシャッタ部２１０′と、このシャッタ部２１０′を前記入口側へ付勢する弾性体部２３０Ａ′とを備えており、前記挿入穴部２２０′は、前記シャッタ部２１０′を格納するスペース２２５′を有し、前記角型プラグ１００を挿入穴部２２０  ′に挿入する際に、シャッタ部２１０′は、角型プラグ１００の先端側によって押圧されて挿入穴部２２０′の内側へ入り込み、接続完了するとスペース２２５′に格納される光コネクタのソケットにおいて、前記シャッタ部２１０′は、前記スペース２２５′に格納された状態で角型プラグ１００の側面側を保持するとともに、前記シャッタ部２１０′の正面側に設けられた位置決め用凹部２１２′に対して角型プラグ１００の係合凸部１５０の側面側に設けられた上側の位置決め用凸部１５１ｂが、挿入穴部２２０′の底面に設けられた位置決め用穴部２２３′に対して角型プラグ１００の係合凸部１５０の側面側に設けられた下側の位置決め用凸部１５１ｂがそれぞれ挿入され、前記挿入穴部２２０′は、シャッタ部２１０′が取り付けられる第１のハウジング部２０５Ｍ′の穴部２２０ａ′と、前記第１のハウジング部２０５Ｍ′が挿入される第２のハウジング部２０５Ｎ′の穴部２０５Ｎ３′の奥側とで構成されている。
【００３０】
ハウジング部２０５′は、後述する第１のハウジング部２０５Ｍ′と、第２のハウジング部２０５Ｎ′との２つからなる。ハウジング部２０５′（つまり、前記２つが組み合わされた状態）は、略直方体であり、その正面下部側に、挿入穴部２２０′が形成されている。その挿入穴部２２０′の奥側に、光素子２９０′が挟持されて固定される素子部屋部２５０′（後述のように２つに分離可能となっている。）が設けられている。この素子部屋部２５０′は、ここに設置された光素子２９０′の光軸と、挿入穴部２２０′に装着されたプラグ１００の中心軸とが合うようするため、且つ固定のために、光素子２９０′の外形に沿った形状に形成されている。
【００３１】
この挿入穴部２２０′と素子部屋部２５０′とを連通するように、プラグ先端保持部２２９′としての透孔が設けられている。ハウジング部２０５′は、その上部側に、固定用透孔２８０′が設けられている。また、ハウジング部２０５′の底面には、３対の固定用弾性体２０５Ｎ１′（図１参照）が突設されている。
【００３２】
挿入穴部２２０′は、左右対称に形成されており、プラグ１００の係合凸部１５０（ただし、プラグ先端保持部２２９に嵌まり込むプラグ先端部１５９の先端側部分を除く。）を挿入する空間２２０Ｈ′と、この空間２２０Ｈ′に延設した、シャッタ部２１０′を水平格納可能なスペース２２５′とを有している。
【００３３】
挿入穴部２２０′の両側面には、係合凸部１５０の挿入ガイド用凸部１５１ａ、１５１ａと係合するプラグガイド用凹部２２１′、２２１′が設けられている。また、係合凸部１５０の斜辺面１５１ｃ、１５１ｃに対応する部分として、挿入穴部２２０′の下部側両側面に、傾斜面部２２２′、２２２′が設けられている。更に、挿入穴部２２０′の底面には、下側の位置決め用凸部１５１ｂが挿入される位置決め用穴部２２３′が設けられている。
【００３４】
傾斜面部２２２′には、後述のシャッタ部２１０′の係止用凸部２１１ａ′〔図３（Ｂ）参照〕の通過と係止（この係止とは、シャッタ部２１０′が垂直状態よりも前面側に回動させないための係止をいう。）のため、長孔２２２ａ′（ただし、長孔２２２のように貫通はしていない。）が形成されている。
【００３５】
この長孔２２２ａ′の幅寸法は、係止用凸部２１１ａ′が入り込む寸法である。また、その長手方向寸法は、挿入穴部２２０′の入口側にヒンジ構造によって取り付けられたシャッタ部２１０′が、挿入穴部２２０′の奥側に回動させられたときに、係止用凸部２１１ａ′が挿入穴部２２０の内面に引っ掛からないような長さに形成されている。長孔２２２ａ′の前面側の端部の位置は、シャッタ部２１０′が、挿入穴部２２０′の入口側を略閉塞した状態、つまり、シャッタ部２１０′が垂直状態となっている状態において、係止用凸部２１１ａ′が配置されている所である。よって、シャッタ部２１０′の下部側は、垂直状態よりも前方に回動しない。
【００３６】
挿入穴部２２０′の入口側上部の両側面には、軸部２４０′の両端部分を支えるための溝２２６′、２２６′〔図２（Ｃ）および（Ｄ）参照〕が設けられている。
【００３７】
３対の固定用弾性体２０５Ｎ１′（図３参照）は、図示しない基板の位置決め用透孔にソケット２００′が、取り外し可能に固定される際に使用されるものである。１対の固定用弾性体２０５Ｎ１′は、それぞれ、前記図示しない基板の位置決め用透孔中にグラツキなしで納まる基端部２０５Ｎ１ａ′と、この基端部２０５Ｎ１ａ′の下部側に延設された抜け防止部２０５Ｎ１ｂ′とが１つずつ、所定の間隔を開けて設けられているものである。基端部２０５Ｎ１ａ′の高さ寸法は前記基板の厚み寸法と同じである。抜け防止部２０５Ｎ１ｂ′は、基端部２０５Ｎ１ａ′よりも外側にやや膨らみを有する形状に形成されている。
【００３８】
そのため、前記図示しない基板の位置決め用透孔中に固定用弾性体２０５Ｎ１′を挿入しようとすると、対をなす抜け防止部２０５Ｎ１ｂ′が、先ず相互に内側に変形して前記位置決め用透孔を通過する。そして、この後に抜け防止部２０５Ｎ１ｂ′が前記基板の下面側に至ると、対をなす抜け防止部２０５Ｎ１ｂ′が、元の状態に戻る。これによって、基端部２０５Ｎ１ａ′の外側の面が前記位置決め用透孔の内面に当接して、ソケット２００′が前記基板に水平方向にぐらつかないようになっている。それとともに、抜け防止部２０５Ｎ１ｂ′は、ソケット２００′が前記基板から抜けないように防止している。
【００３９】
このようなハウジング部２０５′を構成する第１のハウジング部２０５Ｍ′と、第２のハウジング部２０５Ｎ′とは、以下のようになっている。
【００４０】
先ず、大まかな構造としては、第１のハウジング部２０５Ｍ′は、シャッタ部２１０′が取り付けられる穴部２２０ａ′を有する。一方、第２のハウジング部２０５Ｎ′は、第１のハウジング部２０５Ｍ′が挿入される穴部２０５Ｎ３′を有する。そして、第１のハウジング部の穴部２２０ａ′と第２のハウジング部２０５Ｎ′の穴部２０５Ｎ３′の奥側とで前記挿入穴部２２０′が構成されている。
【００４１】
以下に、第１のハウジング部２０５Ｍ′と第２のハウジング部２０５Ｎ′とについて、詳細説明をする。
【００４２】
第１のハウジング部２０５Ｍ′は、図２に示されるように、正面視および平面視略矩形状体であって、前記穴部２２０ａ′を有している。第１のハウジング部２０５Ｍ′は、穴部２２０ａ′の奥側上部に、挿入穴部２２０′の奥上面側部分を取り除いて形成された奥側開口部２０５Ｍ１′を有している。奥側開口部２０５Ｍ１′は、弾性体部２３０Ａ′が軸部２４０′に通され、且つこれらをシャッタ部２１０′の所定の位置に嵌め込んだものを、この奥側開口部２０５Ｍ１′を通じて、第１のハウジング部２０５Ｍ′の穴部２２０ａ′の内側に挿入しうる大きさに開口されている。
【００４３】
尚、第１のハウジング部２０５Ｍ′は、その背面側に、素子部屋部２５０′の前面側部２５０ａ′が含まれるように形成されている。
【００４４】
第１のハウジング部２０５Ｍ′の穴部２２０ａ′には、前記溝２２６′、２２６′の主要部分である溝２２６ａ′も含まれている。溝２２６ａ′は、略横向きＵ字形状に形成されている。この奥側の湾曲部２２６ａ1 ′は、穴部２２０ａ′の入口側に形成されている。この溝２２６′、２２６′の残りの部分は、第２のハウジング部２０５Ｎ′の後述する凸部２０５Ｎ２′が、この溝２２６ａ′上であって、穴部２２０ａ′の奥側方向部分に嵌まり込むことによって形成される。
【００４５】
この溝２２６′、２２６′のやや奥側（穴部２２０ａ′の奥側）の上部側には、弾性体部２３０Ａ′が軸部２４０′に通されたものをシャッタ部２１０′の所定の位置に嵌め込んだものを溝２２６′、２２６′にセットした際に、弾性体部２３０Ａ′の一方側（上部側）を係止するための凸部２０５Ｍ２′が下側に向かって突設されている。
【００４６】
長孔２２２ａ′も第１のハウジング部２０５Ｍ′に含まれている。ただし、第１のハウジング部２０５Ｍ′に含まれている長孔２２２ａ′は、貫通して形成されている。一方、第２のハウジング部２０５Ｎ′には、長孔２２２ａ′の溝は到っておらず、長孔２２２ａ′の底面が第２のハウジング部２０５Ｎ′の内面により形成されている。
【００４７】
位置決め用穴部２２３′も第１のハウジング部２０５Ｍ′に含まれている。ただし、第１のハウジング部２０５Ｍ′に含まれている位置決め用穴部２２３′の部分は、貫通して形成されている。位置決め用穴部２２３′の底面の部分であって、一部透孔となっている部分を除いた部分は、第２のハウジング部２０５Ｎ′の内面により形成されている。
【００４８】
第１のハウジング部２０５Ｍ′の外面部分であって、中央上部と、下面両端部には、突出部２０５Ｍ３′、２０５Ｍ４′、２０５Ｍ４′がそれぞれ設けられている。この突出部２０５Ｍ３′、２０５Ｍ４′、２０５Ｍ４′は、第１のハウジング部２０５Ｍ′を、後述の第２のハウジング部２０５Ｎ′の内面にセットした際に、位置決め且つ奥側に備えられる光素子２９０′にストレスを与えないようにするためのものである。
【００４９】
第１のハウジング部２０５Ｍ′の外面部分であって、両側面奥側中央部分には、楔状突出部２０５Ｍ５′、２０５Ｍ５′が設けられている。この楔状突出部２０５Ｍ５′、２０５Ｍ５′は、第１のハウジング部２０５Ｍ′を、後述の第２のハウジング部２０５Ｎ′の内面にセットした後に、第１のハウジング部２０５Ｍ′が前面側に抜けないようにするためのものである。
【００５０】
第２のハウジング部２０５Ｎ′は、図１に示されるように、略直方体であり、その正面下部側に、穴部２０５Ｎ３′が形成されている。第２のハウジング部２０５Ｎ′は、この穴部２０５Ｎ３′の前端よりも突出した一対の凸部２０５Ｎ２′を有している。
【００５１】
凸部２０５Ｎ２′は、上述したように、第１のハウジング部２０５Ｍ′と第２のハウジング部２０５Ｎ′とが組み合わされた際に、軸部２４０′の両端部分を支えるための溝２２６′が完成するように、軸部２４０′の両端部分の背面側を規制するためのものである。
【００５２】
穴部２０５Ｎ３′には、その上部中央と、下部両端とに、それぞれ前記突出部２０５Ｍ３′、２０５Ｍ４′、２０５Ｍ４′と嵌合する溝部２０５Ｎ３ａ′、２０５Ｎ３ｂ′、２０５Ｎ３ｂ′が形成されている。
【００５３】
穴部２０５Ｎ３′には、その両側面に、それぞれ、浅溝部２０５Ｎ３ｃ′と、この浅溝部２０５Ｎ３ｃ′の奥側（穴部２０５Ｎ３′の奥側）の溝なし部２０５Ｎ３ｄ′と、この溝なし部２０５Ｎ３ｄ′の奥側の透孔部２０５Ｎ３ｅ′とが形成されている。
【００５４】
この浅溝部２０５Ｎ３ｃ′と、溝なし部２０５Ｎ３ｄ′との一連のルート上を、前記楔状突出部２０５Ｍ５′が、第２のハウジング部２０５Ｎ′に対して第１のハウジング部２０５Ｍ′がセットされる際に通過し、最終的に、透孔部２０５Ｎ３ｅ′に嵌まり込み、第２のハウジング部２０５Ｎ′に対しての第１のハウジング部２０５Ｍ′の固定が完了するようになっている。
【００５５】
尚、この際、透孔部２０５Ｎ３ｅ′の側面方向は、楔状突出部２０５Ｍ５′によって塞がれ、一方、透孔部２０５Ｎ３ｅ′の背面方向（穴部２０５Ｎ３′の背面方向）は、後述のスリット状部２０５Ｎ３ｈ′〔図１（Ｄ）参照〕となっているが、第１のハウジング部２０５Ｍ′の外面背部の両端側部分によって塞がれる。
【００５６】
穴部２０５Ｎ３′には、その奥側の面に、第１のハウジング部２０５Ｍ′に設けた素子部屋部２５０′の前面側部２５０ａ′と対をなす素子部屋部２５０′の背面側部２５０ｂ′が形成されている。
【００５７】
穴部２０５Ｎ３′には、その底面側に、光素子２９０′の下部側を引き出すためおよび光素子２９０′を所定の位置にセットするための挿入ルートとしての透孔２０５Ｎ３ｆ′が形成されている。
【００５８】
第２のハウジング部２０５Ｎ′の外面側には、前記固定用透孔２８０′と、前記３対の固定用弾性体２０５Ｎ１′とが形成されている以外に、前記図３（Ｆ）によるソケット２００′の説明で説明できなかった部分である溝２０５Ｎ３ｇ′が両側面の後端側に設けられている。この溝２０５Ｎ３ｇ′は、前記透孔部２０５Ｎ３ｅ′と連続して設けられている。この溝２０５Ｎ３ｇ′を第２のハウジング部２０５Ｎ′の背面から眺めると、前記透孔部２０５Ｎ３ｅ′が設けられていることによって、穴部２０５Ｎ３′方向にスリット状部２０５Ｎ３ｈ′が形成されている。
【００５９】
このスリット状部２０５Ｎ３ｈ′は、上述したように、第１のハウジング部２０５Ｍ′の外面背部の両端側部分が露出するようになっている。これにより、もし第２のハウジング部２０５Ｎ′に対して第１のハウジング部２０５Ｍ′をセット後に第１のハウジング部２０５Ｍ′を取り外したいときでも、この露出部分を押せば、簡単に第１のハウジング部２０５Ｍ′を取り外すことができるようになっている。
【００６０】
よって、例えば、ソケット２００′を所定の装置に設置後、光素子２９０′が何らかの原因で機能しなくなった場合でも、前記露出部分を押す等することで、光素子２９０′の交換が簡単にできる。
【００６１】
シャッタ部２１０′は、前記図３（Ｂ）に示したシャッタ部２１０′のように軸部２４０′が背面側から押しつけてセットされるように凹部２１４Ａ′が設けられている。
【００６２】
よって、シャッタ部２１０′は、図３（Ｂ）および（Ｄ）に示されるように、挿入穴部２２０′（穴部２２０ａ′）の入口に嵌まり込むことが可能（もちろん入口から奥側にも嵌まり込むことが可能）な、正面視略六角形状に形成されている。この正面視形状は、挿入穴部２２０′（穴部２２０ａ′）の入口開口面の形状から、プラグガイド用凹部２２１′、２２１′の形状部分を取り除いた形状に、係止用凸部２１１ａ′、２１１ａ′を突設した形状となっている。
【００６３】
シャッタ部２１０′の正面側には、プラグ１００の係合凸部１５０の上側の位置決め用凸部１５１ｂが嵌まり込む位置決め用凹部２１２′が形成されている。
【００６４】
シャッタ部２１０′の背面側上部には、軸部２４０′を保持するための側面視略Ｃ字状の凹部２１４Ａ′を有した突出部２１３Ａ′が設けられている。突出部２１３Ａ′の中央部分には、後述の弾性体部２３０Ａ′の本体部２３０Ａａ′が挿入される凹部２１５′〔図３（Ｄ）参照〕が形成されている。
【００６５】
弾性体部２３０Ａ′は、図３（Ａ）等に示されるように、ねじりコイルバネである。弾性体部２３０Ａ′は、コイル状のバネ本体部２３０Ａａ′と、このバネ本体部２３０Ａａ′の一端から延設された棒状延設部２３０Ａｂ′と、バネ本体部２３０Ａａ′の他端から延設された棒状延設部２３０Ａｃ′とを有している。バネ本体部２３０Ａａ′の透孔２３０Ａａ1 ′には、軸部２４０′が嵌め込まれるようになっている。
【００６６】
棒状延設部２３０Ａｂ′は、挿入穴部２２０′（穴部２２０ａ′）の面（正確には、凸部２０５Ｍ２′の部分）と当接する側の部分であって、シャッタ部２１０′の背面側と当接する側の部分である棒状延設部２３０Ａｃ′よりも短く形成されている。棒状延設部２３０ｂ′と棒状延設部２３０ｃ′との角度は、シャッタ部２１０′に付勢力を与えることができるように、少なくとも９０°以上とされている。
【００６７】
軸部２４０′は、図３（Ａ）等に示されるように、円柱状の棒である。軸部２４０′の長さ寸法は、シャッタ部２１０′の横幅寸法よりも大きく、且つ、挿入穴部２２０′の両側面に設けられている溝２２６′、２２６′の両端間寸法程度である。軸部２４０′の太さは、シャッタ部２１０′の凹部２１４Ａ′に嵌合可能な大きさである。
【００６８】
次に、ソケット２００′の組み立て方法について、前記図３を参照しつつ説明する。
【００６９】
先ず、図３（Ａ）に示されるように、弾性体部２３０Ａ′の透孔２３０Ａａ1 ′に、軸部２４０′を嵌め込む。この状態のものを、図３（Ｂ）に示されるように、シャッタ部２１０′にセットする。この際、弾性体部２３０Ａ′のバネ本体部２３０Ａａ′は、凹部２１５′に嵌め込み、一方、軸部２４０′は凹部２１４Ａ′に嵌め込む。
【００７０】
この状態のものを、図３（Ｃ）に示されるように、第１のハウジング部２０５Ｍ′の奥側開口部２０５Ｍ１′から穴部２２０ａ′内に挿入する。この際、シャッタ部２１０′の係止用凸部２１１ａ′を、第１のハウジング部２０５Ｍ′の長孔２２２ａ′の前側に嵌め込みつつ、シャッタ部２１０′の上部側を起こす。
【００７１】
そうすると、図３（Ｄ）に示されるように、軸部２４０′の両端側が、第１のハウジング部２０５Ｍ′の溝２２６ａ′に嵌め込まれると共に、弾性体部２３０Ａ′の棒状延設部２３０Ａｂ′が凸部２０５Ｍ２′の基端部側と当接する。この状態においては、シャッタ部２１０′が第１のハウジング部２０５Ｍ′の穴部２２０ａ′の入口側にて長孔２２２ａ′、２２２ａ′に嵌まりつつ垂直に配置され、そのシャッタ部２１０′の背面が弾性体部２３０Ａ′の棒状延設部２３０Ａｃ′に当接することによって穴部２２０ａ′の入口側へ付勢されている。よって、シャッタ部２１０′は第１のハウジング部２０５Ｍ′に保持されている状態となっている。
【００７２】
ここで、図３（Ｅ）に示される、第１のハウジング部２０５Ｍ′を、第２のハウジング部２０５Ｎ′にセットした際にできる素子部屋部２５０′に光素子２９０′をセットすべく、第２のハウジング部２０５Ｎ′の透孔２０５Ｎ３ｆ′から光素子２９０′を、背面側部２５０ｂ′に嵌め込む。この際、第２のハウジング部２０５Ｎ′は、その背面側に倒しておく。
【００７３】
第２のハウジング部２０５Ｎ′の穴部２０５Ｎ３′に対して、シャッタ部２１０′等をセットした状態の第１のハウジング部２０５Ｍ′を挿入すると、図３（Ｆ）に示されるように、凸部２０５Ｎ２′が軸部２４０′の背面側を規制するように溝２２６ａ′の所定位置に嵌まり込む。一方、楔状突出部２０５Ｍ５′、２０５Ｍ５′（図２参照）は、溝なし部２０５Ｎ３ｄ′〔図１（Ｃ）参照〕を乗り越え、透孔部２０５Ｎ３ｅ′に嵌まり込み、第１のハウジング部２０５Ｍ′が第２のハウジング部２０５Ｎ′に固定される。これにより、ソケット２００′は完成する。
【００７４】
完成した状態のソケット２００′においては、光素子２９０′のリードピンの内のモールドされていない部分２９０ａ′の下端側部分のみがフリーの状態であるものの、それよりも上部側の部分は、素子部屋部２５０′の前面側部２５０ａ′と背面側部２５０ｂ′とによって、挟持されて固定されている。そのため、ソケット２００′を図示しない基板に接続固定する際に、光素子２９０′の素子（チップ）にはストレスがかからないようになっている。
【００７５】
次に、ソケット２００′の機構動作を図５等を参照しつつ説明する。ソケット２００′は、プラグ１００を挿入していない状態では、シャッタ部２１０′が弾性体部２３０Ａ′によって挿入穴部２２０′の入口側に付勢されているため、挿入穴部２２０′の入口側がシャッタ部２１０′によって略閉塞されている〔図５（Ａ）の状態〕。
【００７６】
図５（Ｂ）に示されるように、プラグ１００を挿入穴部２２０′内に、前記付勢力以上の力で、挿入し始めると、プラグ１００のプラグ先端部１５９にシャッタ部２１０′の前面（おもての面）が押されて、軸部２４０′を回動中心として回動し、シャッタ部２１０′は、その先端側が挿入穴部２２０′内部に入り込んでくる。
【００７７】
更に、プラグ１００を挿入穴部２２０′内に押し進めると、プラグ１００の係合凸部本体１５１の下側の端部が、挿入穴部２２０′の入口側底面に摺接し、一方、プラグ１００の係合凸部本体１５１の上側の端部がシャッタ部２１０′の前面に当接するようになる〔図５（Ｃ）の状態〕。ここまでの、シャッタ部２１０′の回動と前記係合凸部本体１５１の下側の端部の挿入穴部２２０′の入口側底面への摺接開始とは、プラグ１００のテーパ１５１ｔ、１５９ｔによって、滑らかにされる。
【００７８】
更に、プラグ１００を挿入穴部２２０′内に押し進めると、図５（Ｄ）に示されるように、シャッタ部２１０′は、挿入穴部２２０′のスペース２２５において水平状態に格納される。更に、プラグ１００を挿入穴部２２０′内に圧入ぎみに押し進め、係合凸部本体１５１の基端部まで、挿入穴部２２０′内に挿入完了すると、図５（Ｅ）に示される状態となる。
【００７９】
つまり、プラグ先端部１５９の先端側は、プラグ先端保持部２２９′に保持されている。このプラグ先端部１５９の先端面は、光素子２９０′（図５では図示省略しているので、図３（Ｅ）等参照）の前面の所定微小距離手前に配置されていることとなる。また、係合凸部本体１５１は、挿入穴部２２０′の両側面から底面にかけての面と、シャッタ部２１０′の前面（尚、付勢力も付加されている。）とによって保持されていることとなる。
【００８０】
尚、図５においては図示省略しているが、位置決め用凸部１５１ｂ、１５１ｂ（図４参照）の内、下側の位置決め用凸部１５１ｂは、位置決め用透孔２２３′に挿入されており、一方、上側の位置決め用凸部１５１ｂは、シャッタ部２１０′の位置決め用凹部２１２′に挿入されている。これらによって、プラグ１００は、一般的なＥＩＡＪ規格のソケットの場合に比較的近い保持力によって保持されていることとなる。
【００８１】
逆に、プラグ１００を挿入穴部２２０′から抜く場合には、図５の状態が全く逆となるだけである。尚、シャッタ部２１０′は、弾性体部２３０Ａ′による付勢力によって、挿入穴部２２０′の入口側に自動復帰する。
【００８２】
このように構成され、動作するソケット２００′は、このソケット２００′を取り付ける装置のキャビネットにその殆どの部分が覆われ、表側に露出するのは、挿入穴部２２０′付近のみとなっている。したがって、ソケット２００′の光素子２９０′の前面側を汚す原因となる埃等の主たる侵入ルートとしては、挿入穴部２２０′の入口側だけであり、その入口側は、その侵入を阻止すべく設けられているシャッタ部２１０′によってガードされていることとなる。
【００８３】
尚、本発明の第１の実施の形態に係る光コネクタのソケット２００′において、シャッタ部２１０′の構造と、軸部２４０′の挿入方法とをマイナーチェンジしたソケット２００Ａを、図６および図７を参照しつつ説明する。図６は本発明の第１の実施の形態に係る光コネクタのソケットのマイナーチェンジ品を示す図で、同図（Ａ）は平面図、同図（Ｂ）は正面図、同図（Ｃ）は側面視一部透視説明図、図７は本発明の第１の実施の形態に係る光コネクタのソケットのマイナーチェンジ品に用いられるシャッタ部と、弾性体部とを示す図であって、同図（Ａ）はシャッタ部の側面図、同図（Ｂ）はシャッタ部の背面図、同図（Ｃ）は弾性体部の側面図、同図（Ｄ）は弾性体部の正面図である。尚、上述のソケット２００′と共通機能の部分には、同じ番号を付した。
【００８４】
ソケット２００Ａのシャッタ部２１０Ａは、組み立ての際に、軸部２４０を横から挿入するのではなく、背面側に圧入するようにした点が構造上の大きな違いである。シャッタ部２１０Ａは、シャッタ部２１０′同様、正面視略六角形状に形成されている。この正面視形状は、挿入穴部２２０の入口開口面の形状から、プラグガイド用凹部２２１、２２１の形状部分を取り除いた形状に、係止用凸部２１１ａ、２１１ａを突設した形状となっている。
【００８５】
シャッタ部２１０Ａの正面側には、プラグ１００の係合凸部１５０の上側の位置決め用凸部１５１ｂが嵌まり込む位置決め用凹部２１２Ａが形成されている。この位置決め用凹部２１２Ａの上部側には、位置決め用凸部１５１ｂを呼び込むための凹部２１６Ａが設けられている。
【００８６】
シャッタ部２１０Ａの背面側上部には、軸部２４０を保持するための側面視略Ｃ字状の凹部２１４Ａを有した突出部２１３Ａが設けられている。突出部２１３Ａの中央部分には、後述の弾性体部２３０Ａの本体部２３０Ａａと、棒状延設部２３０Ａｂとが挿入される凹部２１５Ａが形成されている。
【００８７】
弾性体部２３０Ａは、ねじりコイルバネである。弾性体部２３０Ａは、コイル状のバネ本体部２３０Ａａと、このバネ本体部２３０Ａａの一端と他端とから延設された棒状延設部２３０Ａｂ、２３０Ａｂとを有している。棒状延設部２３０Ａｂと２３０Ａｂとの角度は、シャッタ部２１０Ａに付勢力を与えることができるように、少なくとも９０°以上とされている。
【００８８】
尚、ソケット２００Ａのハウジング２０５Ａには、ソケット２００のハウジング２０５に設けられていた透孔２２６の代わりに、軸部２４０を上部側から挿入可能であって、挿入穴部２２０の幅寸法よりも長い長孔２２８Ａが設けられている。この長孔２２８Ａの中央部には、弾性体部２３０Ａを折り曲げた状態（２つの棒状延設部２３０Ａｂが平行となるまで曲げた状態）で、挿入穴部２２０内側に挿入可能とするために長孔２２８Ａを切欠きして穴部２２８Ａ１、２２８Ａ１が設けられている。
【００８９】
このようなソケット２００Ａは、次のようにして組み立てられる。先ず、軸部２４０の中央に弾性体部２３０Ａを挿入する。この状態の軸部２４０を、弾性体部２３０Ａを折り曲げた状態にしつつ、長孔２２８Ａと穴部２２８Ａ１、２２８Ａ１とに挿入する。この状態における弾性体部２３０Ａに対して、シャッタ部２１０Ａの凹部２１５Ａを対応させつつ、軸部２４０に、シャッタ部２１０Ａの側面視略Ｃ字状の凹部２１４Ａを押しつけて、シャッタ部２１０Ａのセットを完了させる。その後に、ハウジング部２０５Ａの素子部屋部２５０に光素子２９０を設置すると、ソケット２００Ａの組み立てが完了する。
【００９０】
ソケット２００Ａの機構動作は、ソケット２００′の機構動作と基本的に同じであるので、その説明は省略する。
【００９１】
本発明の第１の実施の形態に係る光コネクタのソケット２００′において、プラグ先端保持部２２９′は、挿入穴部２２０′側に突出していないとした。しかし、図８に示されるように、シャッタ部２１０′の回動によって接触しない範囲で、プラグ先端保持部２２９′に円形凸部２２９′ｔを延設して、突出部２２９′Ｔとしてもよい。図８は本発明の第１の実施の形態に係る光コネクタのソケットのプラグ先端保持部に円形凸部を延設して突出部とした状態、およびＥＩＡＪ規格の突出部とを説明するための側面視概略的説明図である。この突出部２２９Ｔ′の奥行き寸法を長くできるほど、プラグ１００の保持力を増すことができる。
【００９２】
ところで、図８においては、ＥＩＡＪ規格の突出部９００の状況を破線で図示している。このように、プラグ１００がＥＩＡＪ規格の角型プラグである場合には、ソケット２００′（または２００Ａ）のような構造では、ＥＩＡＪ規格に対応した奥行き寸法の突出部９００を設けることはできない。上述したように、ＥＩＡＪ規格の突出部９００のように、突出した部分の奥行き寸法を長くする方が、プラグ１００の保持力を増すことができる。そのため、プラグ１００の抜け防止上、ＥＩＡＪ規格の突出部９００をソケットに設けることが好ましい。
【００９３】
次に、本発明の第１の実施の形態に係る光コネクタのソケット２００′に対して、光素子の寿命を延ばす手段および低消費電力化手段としてのスイッチ（このスイッチは、以下のように、シャッタ部が挿入穴部の入口側から所定の位置まで移動したときに、このシャッタ部によって操作されるものである。）を設け、しかもそのスイッチの一方側を弾性体で兼用した場合について、本発明の第２の実施の形態に係る光コネクタのソケットとして、図９を参照しつつその違いのみ説明する。図９は本発明の第２の実施の形態に係る光コネクタのソケットを説明するための側面視概略的説明図である。
【００９４】
本発明の第２の実施の形態に係る光コネクタのソケット２００Ｂにおいては、本発明の第１の実施の形態に係る光コネクタのソケット２００′の弾性体部２３０Ａ′の形状等を変更している。具体的には、ソケット２００Ｂの弾性体部２３０′は、弾性体部２３０′の一端側を折り曲げ成形して、ソケット２００Ｂの外側に引き出している。また、弾性体部２３０′の他端側は、ソケット２００Ｂに新たに設けたスイッチ４００′の固定切片部４１０′と接触するようになっている。つまり、弾性体部２３０′は、スイッチ４００′において、スイッチ４００の可動切片部４２０相当として働かせる。よって、弾性体部２３０′は、良導電性を有した金属製である。
【００９５】
上述以外は基本的にソケット２００′と共通構造を有するソケット２００Ｂは、プラグ１００が挿入穴部２２０に挿入されるときに、挿入穴部２２０の入口側に設けられているシャッタ部２１０が回動され、挿入穴部２２０内に入り込む。よって、スイッチ４００′は、シャッタ部２１０が当接されることによってオンされることとなる。逆に、挿入穴部２２０からプラグ１００が引き抜かれると、シャッタ部２１０は、弾性体部２３０′によって、挿入穴部２２０の入口側に付勢されるので、自動復帰する。そのため、スイッチ４００′は、オフとなる。
【００９６】
このように、本発明の第２の実施の形態に係る光コネクタのソケット２００Ｂにおいては、ソケット２００Ｂにプラグ１００が接続されていない限り、スイッチ４００′はオフとなっているので、光素子２９０にムダな通電をすることを減らすことができ、光素子２９０の寿命も延ばすことができる。また、スイッチ４００′にプラグ１００が直接接触することがないので、スイッチ４００′を設けても、プラグ１００が傷付けられるおそれも全くない。更に、スイッチ４００′の一方側に、弾性体部２３０′を兼用しているので、部品点数の削減と低コスト化も図れる。
【００９７】
本発明の第１、第２の実施の形態に係る光コネクタのソケット２００′等における弾性体部２３０Ａ′等は、ねじりコイルバネでなく、板状バネ等、同様の機能を発揮するものであってもよい。
【００９８】
本発明の第１の実施の形態に係る光コネクタのソケット２００′において、上述したように、シャッタ部２１０′は、スペース２２５′に格納された後、接続完了されたプラグ１００の側面側を保持するのが好ましい。
【００９９】
次に、弾性体部の代わりに磁石を用いたものを本発明の第３の実施の形態に係る光コネクタのソケットとして、図１０を参照しつつ説明する。図１０は本発明の第３の実施の形態に係る光コネクタのソケットを示す断面図である。
【０１００】
本発明の第３の実施の形態に係る光コネクタのソケット２００Ｇは、本発明の第１の実施の形態に係る光コネクタのソケット２００′と略同様のものであって、ソケット２００′で用いられていた弾性体部２３０Ａ′を取り去り、その代わりに磁石２３０Ｇ１、２３０Ｇ２を後述の２カ所に設けた。
【０１０１】
磁石２３０Ｇ１は、シャッタ部２１０Ｇの背面側に埋設されている。なお、シャッタ部２１０Ｇは、ソケット２００′のシャッタ部２１０′と略同様であるが、前記磁石２３０Ｇ１が埋設されている点と、弾性体部をセットするための凹部が不要なため設けられていない点とが異なる。
【０１０２】
磁石２３０Ｇ２は、〔図示しないプラグが挿入穴部２２０Ｇ（ソケット２００′の挿入穴部２２０′と同様のもの）に挿入された時に〕スペース２２５Ｇ（ソケット２００′のスペース２２５′と同様のもの）に格納された前記シャッタ部２１０Ｇと対向するハウジング部２０５Ｇ（ソケット２００′のハウジング部２０５′と略同様であるが、第１のハウジング部と第２のハウジング部との境界は図示省略した。）の部分に磁石２３０Ｇ１と対向するように埋設されている。
【０１０３】
シャッタ部２１０Ｇに設けられた磁石２３０Ｇ１と、ハウジング部２０５Ｇに設けられた磁石２３０Ｇ２とは、反発するように設けておけばよい。したがって、例えば、磁石２３０Ｇ１のＳ極（またはＮ極）はシャッタ部２１０Ｇの背面側に向けて設け、磁石２３０Ｇ２のＳ極（またはＮ極）はハウジング部２０５Ｇの挿入穴部２２０Ｇの上面に下向きになるように設ければよい。
【０１０４】
磁石２３０Ｇ１は、シャッタ部２１０Ｇの比較的上部側、即ち軸部２４０Ｇ（ソケット２００′の軸部２４０′と同様のもの）寄りに設ける。このように上部側に設ける方が、シャッタ部２１０Ｇが挿入穴部２２０Ｇの入口にある場合（即ち、磁石２３０Ｇ１が磁石２３０Ｇ２から最も離れている場合）でも、シャッタ部２１０Ｇに設けられた磁石２３０Ｇ１と、ハウジング部２０５Ｇに設けられた磁石２３０Ｇ２とが比較的近接し且つ反発するように対向するからである。即ち、シャッタ部２１０Ｇの移動範囲全域で、シャッタ部２１０Ｇが挿入穴部２２０Ｇの入口側に付勢される付勢力を大きくすることができるのである。
【０１０５】
ソケット２００Ｇの組み立ては、ソケット２００′と略同様であるのでその説明は省略する。
【０１０６】
ソケット２００Ｇの機構動作も、ソケット２００′と略同様である。付勢力が弾性体部によるか磁石の反発力によるかだけの違いである。
【０１０７】
ところで、例えば、本発明の第１の実施の形態に係る光コネクタのソケット２００′の場合には、シャッタ部２１０′によって略閉塞状態にできるものの、プラグガイド用凹部２２１′、２２１′の部分までは閉塞されない。そのため、本発明の第２の実施の形態に係る光コネクタのソケット２００Ｂで説明したようなスイッチ４００′をソケット２００′に設けていない場合には、ソケット２００′を設置した装置の電源をオンすると、光素子２９０′が常時動作状態になる。したがって、ソケット２００′が前記装置の前面やこの前面以外であっても、使用者が目にし易い位置に設置されていると、プラグ１００を挿入していないときに、光素子２９０′からの光が僅かではあるもののプラグガイド用凹部２２１′、２２１′から漏れて使用者の目に入ることがある。
【０１０８】
そこで、ソケット２００′に近似した構造のものであって、スイッチ４００′のようなスイッチを設けなくて光漏れの問題を解決する閉塞性の高いソケットを本発明の第４の実施の形態に係る光コネクタのソケットとして図１１〜図１４を参照しつつ説明する。
【０１０９】
図１１は本発明の第４の実施の形態に係る光コネクタのソケットを示す図であって、同図（Ａ）は正面図、同図（Ｂ）は側面図、同図（Ｃ）は断面図、図１２は本発明の第４の実施の形態に係る光コネクタのソケットに用いられる第２のハウジング部を示す図であって、同図（Ａ）は側面図、同図（Ｂ）は正面図、同図（Ｃ）は断面図、図１３は本発明の第４の実施の形態に係る光コネクタのソケットに用いられる第１のハウジング部を示す図であって、同図（Ａ）は正面図、同図（Ｂ）は側面図、同図（Ｃ）は背面図、同図（Ｄ）は断面図、図１４は本発明の第４の実施の形態に係る光コネクタのソケットに用いられるシャッタ部を示す図であって、同図（Ａ）は正面図、同図（Ｂ）は側面図、同図（Ｃ）は背面図、同図（Ｄ）は底面図である。
【０１１０】
本発明の第４の実施の形態に係る光コネクタのソケット２００Ｆは、本発明の第１の実施の形態に係る光コネクタのソケット２００′に近似した構造を有しているので、主たる相違点を次に説明する。
【０１１１】
（１）シャッタ部２１０Ｆは、プラグガイド用凹部２２１Ｆ、２２１Ｆ（ソケット２００′のプラグガイド用凹部２２１′、２２１′を後述するように変形したもの）の前面側の部分に係合する突設部分（後述の閉塞用凸部２１０ＦＦ１等）を設けている。
（２）前記閉塞用凸部２１０ＦＦ１が回動する範囲のハウジング部２０５Ｆの挿入穴部２２０Ｆの構造を変更している。
（３）ソケット２００Ｆは、第１のハウジング部２０５ＦＭと第２のハウジング部２０５ＦＮとからなるハウジング部２０５Ｆを有するが、第１のハウジング部２０５ＦＭと第２のハウジング部２０５ＦＮの分離位置がソケット２００′の場合と異なる。
【０１１２】
以上の主たる相違点等をもう少し詳しく以下において説明する。なお、軸部２４０Ｆと、弾性体部２３０Ｆ、光素子２９０Ｆとは、ソケット２００′の軸部２４０′と、弾性体部２３０Ａ′と、光素子２９０′と同様のものである。
【０１１３】
シャッタ部２１０Ｆは、ソケット２００′のシャッタ部２１０′の背面に一対の背面凸部２１０ＦＦが、弾性体部２３０Ｆの設けられる領域を避けるようにして突設されている。背面凸部２１０ＦＦの側面から閉塞用凸部２１０ＦＦ１が延設されている。この閉塞用凸部２１０ＦＦ１が、プラグガイド用凹部２２１Ｆの前面側の部分に係合されて閉塞性を高め、光の漏れを防ぐのである。なお、係合用凸部２１１Ｆａは、ソケット２００′の係合用凸部２１１ａ′が半球状のものであったのに対して、正面視三角形状としているが、機能は同じである。
【０１１４】
ハウジング部２０５ＦＭは、基本的には、ソケット２００′のハウジング部２０５′と同様である。ただし、ハウジング部２０５ＦＭの分離位置がソケット２００′の場合よりも前側に変更されているのに伴い、上述以外に、素子部屋部２５０Ｆがソケット２００′の素子部屋部２５０′とは異なり、ソケット２００の素子部屋部２５０と同様に形成されている。
【０１１５】
第１のハウジング部２０５ＦＭは、ソケット２００′の第１のハウジング部２０５Ｍ′の後側を切り取ったものに近似したものである。第１のハウジング部２０５ＦＭの側面の後端部にソケット２００′の楔状突出部２０５Ｍ５′、２０５Ｍ５′と同様の楔状突出部２０５ＦＭ５、２０５ＦＭ５が設けられている。
【０１１６】
第１のハウジング部２０５ＦＭは、その内部に、プラグガイド用凹部２２１Ｆの前側の部分であるプラグガイド用前側凹部２２１Ｆ１を有する。ただし、プラグガイド用前側凹部２２１Ｆ１は、その前面側部分は、ソケット２００′のプラグガイド用凹部２２１′と同じであるが、中央付近から後側にかけての部分の上半分は、プラグガイド用凹部２２１′の最も深い部分と同じ深さまで切欠され、その上部側に延設された閉塞用凸部２１０ＦＦ１通過用凹部２２１Ｆ１１と連続して設けられている。
【０１１７】
第２のハウジング部２０５ＦＮは、その両側面に、第１のハウジング部２０５ＦＭの楔状突出部２０５ＦＭ５、２０５ＦＭ５を嵌め込むための透孔２０５ＦＮ３ｅが設けられている。第２のハウジング部２０５ＦＮは、その内側の穴部２０５ＦＮ３の奥側の部分にプラグガイド用凹部２２１Ｆの後側の部分であるプラグガイド用後側凹部２２１Ｆ２が形成されている。このプラグガイド用後側凹部２２１Ｆ２の先端上部の上部側にかけての部分であって、シャッタ部２１０Ｆの閉塞用凸部２１０ＦＦ１が回動する領域を含むように、前記閉塞用凸部２１０ＦＦ１通過用凹部２２１Ｆ１１と連続する閉塞用凸部２１０ＦＦ１通過用凹部２２１Ｆ１２が形成されている。
【０１１８】
第２のハウジング部２０５ＦＮの穴部２０５ＦＮ３の奥側に設けられているプラグ先端保持部２２９Ｆは、ソケット２００′のプラグ先端保持部２２９′よりも長めにしてプラグ１００の挿入時の保持力を向上させる一方で、前記長めにしたためにシャッタ部２１０Ｆが接触しないように前面上側に切欠２２９Ｆ１を設けている。
【０１１９】
このように構成されたソケット２００Ｆの組み立て方法は、基本的にソケット２００′の場合と略同様であるので、その説明は省略する。
【０１２０】
ソケット２００Ｆの機構動作は、基本的にはソケット２００′と近似しており、シャッタ部２１０Ｆの閉塞用凸部２１０ＦＦ１が閉塞用凸部２１０ＦＦ１通過用凹部２２１Ｆ１１および閉塞用凸部２１０ＦＦ１通過用凹部２２１Ｆ１２の領域を通過し、第１のハウジング部２０５ＦＭのプラグガイド用前側凹部２２１Ｆ１の前面側部分に嵌まり込み、ソケット２００Ｆの閉塞性が高められる点のみ異なる。
【０１２１】
よって、ソケット２００Ｆの構造を採用すれば、ソケット２００′に近似した構造のもの（シャッタ部が挿入穴部を回動するタイプのもの）であっても、スイッチ４００′のようなスイッチを設けなくて光漏れを防ぐことができるので、前記装置の前面やこの前面以外であって、使用者が目にし易い位置でも、何ら問題なく光コネクタのソケットを設置できる。また、ソケット２００Ｆの構造を採用すれば、埃等の進入に関してもソケット２００′等よりも、より確実に防止できる。
【０１２２】
ところで、上述してきた光コネクタのソケット２００、２００′等は、一般的に、前記ソケット２００、２００′等が設けられる装置の基板の上面に設置されることが多い。しかしながら、例えば、前記基板が前記装置の上部側に設けられていると、ソケット２００、２００′等は、前記基板の下面に設置される場合もある。ソケット２００、２００′等は、このように前記基板の下面に設置されても、機能上、特に問題はない。ただし、装置によって光コネクタのソケット２００、２００′等の向きが異なることになる。即ち、装置によってシャッタ部２１０、２００′等のみならず、その奥側の挿入穴部２２０、２２０′等が上下逆となる。よって、装置の使用者が、光コネクタのソケット２００、２００′等に対するプラグ１００の挿入方向を誤ったり、迷ったりするおそれがある。
【０１２３】
そこで、そのおそれをなくすべく、前記基板の下面に光コネクタのソケットを設置すると、前記光コネクタのソケット２００、２００′等を基板の上面に設置したのと、シャッタ部のみならず、その奥側の挿入穴部の状態等が同様である光コネクタのソケットを本発明の第５の実施の形態に係る光コネクタのソケットとして図１５を参照しつつ説明する。図１５は本発明の第５の実施の形態に係る光コネクタのソケットを示す図であって、同図（Ａ）は側面図、同図（Ｂ）は正面図、同図（Ｃ）は断面図、同図（Ｄ）は背面図、同図（Ｅ）は底面図である。
【０１２４】
本発明の第５の実施の形態に係る光コネクタのソケット２００Ｄは、基本的に、本発明の第１の実施の形態に係る光コネクタのソケット２００′のシャッタ部２１０′、弾性体部２３０′、軸部２４０′および挿入穴部２２０′を上下逆配置した状態を有するものであり、それぞれ、シャッタ部２１０Ｄ、弾性体部２３０Ｄ、軸部２４０Ｄおよび挿入穴部２２０Ｄとなっている。
【０１２５】
なお、シャッタ部２１０Ｄ、弾性体部２３０Ｄ、軸部２４０Ｄは、上述のように上下逆配置しても構造的にソケット２００′のシャッタ部２１０′、弾性体部２３０′、軸部２４０′と全く同じでよい。ただし、シャッタ部２１０Ｄは、その背面に凸部２１０ＤＤを設けている点がシャッタ部２１０′とは異なる。この凸部２１０ＤＤは後述する第２のハウジング部２０５ＤＮに含まれる挿入穴部２２０Ｄの部分の底面に当接可能になっている部分であり、シャッタ部２１０Ｄの背面側に、弾性体部２３０Ｄを避けるように、その両側に設けている。この凸部２１０ＤＤは、プラグ１００の挿入時の保持力を向上させるために機能する。
【０１２６】
ソケット２００Ｄのハウジング部２０５Ｄは、第１のハウジング部２０５ＤＭと第２のハウジング部２０５ＤＮとからなり、ソケット２００′のハウジング部２０５′と略同様になっている。
【０１２７】
第１のハウジング部２０５ＤＭは、ソケット２００′の第１のハウジング部２０５Ｍ′と略上下対称のものである。第２のハウジング部２０５ＤＮは、ハウジング部２０５Ｄから第１のハウジング部２０５ＤＭを取り除いたものであるから、ソケット２００′の第２のハウジング部２０５Ｎ′と略同様である。なお、ソケット２００Ｄにおいて、第２のハウジング部２０５ＤＮに設けられている素子部屋部２５０Ｄの背面側部２５０Ｄｂの位置が、前記上下逆配置したのに伴い、ソケット２００′の第２のハウジング部２０５Ｎ′に設けられている素子部屋部２５０′の背面側部２５０ｂ′の位置と変更されている。
【０１２８】
なお、挿入穴部２２０Ｄの奥側に設けられているプラグ先端保持部２２９Ｄは、ソケット２００′のプラグ先端保持部２２９′よりも長めにしてプラグ１００の挿入時の保持力を向上させる一方で、前記長めにしたためにシャッタ部２１０Ｄが接触しないように前面下側に切欠２２９Ｄ１を設けている。このプラグ先端保持部２２９Ｄと、前記シャッタ部２１０Ｄとの改良は、プラグ１００の挿入時の保持力を向上させるためのものであるから、ソケット２００Ｄにおいて必ずしもこのようにしなくてもよいことは言うまでもない。
【０１２９】
このように構成されたソケット２００Ｄを、前記装置の基板の下面に設置すれば、ソケット２００′等が前記基板と同様の基板の上面に設置されたときと、シャッタ部２１０Ｄ、２１０′等の回動方向が同じになるとともに、挿入穴部２２０Ｄ、２２０′等の配置も同じになるので、装置の使用者が、光コネクタのソケット２００Ｄ、２００、２００′等に対してプラグ１００を挿入する方向は一定の方向にできる。
【０１３０】
【発明の効果】
以上説明したように、本発明の請求項１に係る光コネクタのソケットは、光コネクタのプラグと接続する光コネクタのソケットであって、前記プラグが挿入される挿入穴部が形成されたハウジング部と、前記挿入穴部の入口側に軸部を有するヒンジ構造によって取り付けられ、この挿入穴部を略閉塞するためのシャッタ部と、このシャッタ部を前記入口側へ付勢する弾性体部とを具備しており、前記挿入穴部は、前記シャッタ部を格納するスペースを有し、前記ハウジング部は、シャッタ部が取り付けられる穴部を有する第１のハウジング部と、前記第１のハウジング部が挿入される穴部を有する第２のハウジング部とを有しており、前記挿入穴部の奥側には、光素子が設けられる素子部屋部を有しており、前記光素子は、前記素子部屋部において、前記第１のハウジング部と第２のハウジング部とで挟持されており、前記プラグを挿入穴部に挿入する際に、前記シャッタ部は、プラグのプラグ先端部によって押圧されて挿入穴部の内側へ入り込み、接続を完了すると前記スペースに格納され、前記プラグの一側面に設けられた位置決め用凸部が前記シャッタ部の前面に設けられた位置決め用凹部に挿入されるようになっている。
【０１３１】
よって、本発明の請求項１に係る光コネクタのソケットの場合には、埃等の侵入を防止する手段としてのシャッタ部が、挿入穴部の入口側に開閉可能に一体化されている。このシャッタ部は、弾性体部によって、挿入穴部の入口側へ付勢されているので、プラグが挿入穴部に挿入されていないときには、挿入穴部を略閉塞している。プラグが挿入穴部に挿入されると、シャッタ部は、挿入穴部のスペースに格納され、前記プラグの一側面に設けられた位置決め用凸部が前記シャッタ部の前面に設けられた位置決め用凹部に挿入されるので、プラグの位置決めが確実となる。また、この後、プラグが挿入穴部から抜かれると、シャッタ部は、弾性体によって、基本的に、挿入穴部の入口側へ自動復帰する。
【０１３２】
よって、本発明の請求項１に係る光コネクタのソケットは、信頼性を低下させる埃等の侵入を適切に防止することができる。また、埃等よけのキャップを抜き差しする手間もなく、キャップを紛失して埃等の侵入を許す心配もない。
【０１３３】
また、前記シャッタ部は、前記スペースに格納された状態で、プラグの側面側を保持することを特徴とした。よって、かかる光コネクタのソケットの場合には、前記スペースが設けられたことによって、一般的なＥＩＡＪ規格のソケットと比較して不足することとなる、挿入後のプラグの保持力を、シャッタ部がプラグの保持に寄与することで補うようになっている。そのため、本発明の請求項４に係る光コネクタのソケットは、一般的なＥＩＡＪ規格のソケットに比較的近い保持力を有したものとすることができる。したがって、プラグの保持性能も比較的高く、信頼性も比較的高くできる。
【０１３４】
また、本発明の請求項１に係る光コネクタのソケットの場合には、第１と第２との２つのハウジング部に分離できるようになっている。第１のハウジング部の穴部と第２のハウジング部の穴部の奥側とで前記挿入穴部が構成されることから、第１のハウジング部の穴部の奥側に、前記挿入穴部から第２のハウジング部の穴部の奥側に相当する部分を取り除いてできる開口が設けられていることになる。前記シャッタ部は第１のハウジング部の穴部に取り付けられるので、前記奥側に設けられている開口を、光コネクタのソケットを組み立てる際に利用でき、シャッタ部のセット作業をし易くできる。また、組み立ての際に専用治具を準備する必要もない。
【０１３５】
そのため、本発明の請求項１に係る光コネクタのソケットの場合には、組み立て時間短縮により製造効率を向上させることができると共に、専用治具代も不要となるので、ソケットのコストの低減化が図られる。また、ハウジング部を１個のみとする場合の金型は、大変複雑なものとなるため、取り個数が少なかったが、本発明の請求項１に係る光コネクタのソケットの場合には、ハウジング部を２個に分割したため、金型を、より単純化でき、取り個数を増加させることもできる。これによる成型時間の短縮も考慮すると、ソケットのコストの低減化が更に図られると共に、量産性も向上させることができる。
【０１３６】
更に、ソケットを取り付ける装置側の状態（基板の厚み、取り付け位置等の違い）に合わせて、ソケットの構造を設計する必要があるが、第１のハウジング部は共用とすることもでき、第２のハウジング部側のみ構造変更すればよいため、金型の共用によるコスト低減化が図られる。この際、第２のハウジング部の比較的簡単な新規金型は、その製作時間を短縮できるので、この点でもコスト低減化が図られると共に、量産立ち上げを早くすることもできる。
【０１３７】
本発明の請求項１に係る光コネクタのソケットは、前記挿入穴部の奥側には、光素子が設けられる素子部屋部を有しており、前記光素子は、前記素子部屋部において、前記第１のハウジング部と第２のハウジング部とで挟持されて固定されていることを特徴とした。
【０１３８】
本発明の請求項１に係る光コネクタのソケットの場合には、光素子が、前記素子部屋部において、前記第１のハウジング部と第２のハウジング部とで挟持されて固定されるようにして、前記挿入穴部に挿入される光コネクタのプラグの中心軸と、光素子の光軸とを精度よく合わせることができるため、ソケットの信頼性を高くできる。それと共に、位置合わせの時間を省略できるのでコストの低減化を図ることができる。また、前記挟持によって光素子を、両ハウジング部間に容易にセットできるので、この点でもコストの低減化を図ることができる。このセットの際に接着剤を使用する必要がないため、この点でもコストの低減化を図ることもできる。更に、光素子が、前記素子部屋部において、確実に固定されているので、ソケットを基板に接続固定する際に、光素子の素子にストレスがかからないようにできるため、前記接続固定が容易であると共に、ソケットの信頼性を向上させることもできる。
【０１３９】
また、本発明の請求項２に係る光コネクタのソケットにおいては、前記第２のハウジング部には、前記光素子を挿入するための透孔が設けられ、前記素子部屋部は、前記第１のハウジング部と前記第２のハウジング部により構成されている。
【０１４０】
このため、この請求項２に係る光コネクタのソケットの場合には、光素子を第２のハウジング部を介して挿入した後、第１のハウジング部を第２のハウジング部に取り付けるため、光素子の素子部屋部へのセットが容易となる。
【０１４１】
本発明の請求項３に係る光コネクタのソケットは、光コネクタのプラグと接続する光コネクタのソケットであって、前記プラグが挿入される挿入穴部が形成されたハウジング部と、前記挿入穴部の入口側に軸部を有するヒンジ構造によって取り付けられ、この挿入穴部を略閉塞するためのシャッタ部と、このシャッタ部を前記入口側へ付勢する弾性体部とを具備しており、前記挿入穴部は、前記シャッタ部を格納するスペースを有し、前記プラグを挿入穴部に挿入する際に、シャッタ部は、プラグの先端部によって押圧されて挿入穴部の内側へ入り込み、接続完了するとスペースに格納される光コネクタのソケットにおいて、前記ハウジング部は、シャッタ部が取り付けられる穴部を有する第１のハウジング部と、前記第１のハウジング部が挿入される穴部を有する第２のハウジング部とを有しており、前記挿入穴部の奥側には、光素子が設けられる素子部屋部を有しており、前記光素子は、前記素子部屋部において、前記第１のハウジング部と第２のハウジング部とで挟持されて固定されており、前記シャッタ部が、挿入穴部の入口側から所定の位置まで移動したときに、このシャッタ部によって操作されるスイッチが設けられ、良導電性とした前記弾性体部を、前記シャッタ部が前記挿入穴部の入口側から所定の位置まで移動したときに、スイッチの固定切片部と接触する可動切片部として働かせる。
【０１４２】
よって、本発明の請求項３に係る光コネクタのソケットの場合には、このようなスイッチによって、ソケットの挿入穴部にプラグが挿入されているときのみ、ソケットに設けられている光素子が働くようにできる。そのため、光素子の寿命を延ばすことができ、ソケットの信頼性を高く長く維持できる。また、このようなソケットを設けた装置の消費電力を低減させることが可能である。また、シャッタ部によって、スイッチのオン・オフがなされるので、プラグがスイッチによって傷付けられるおそれもない。
【０１４３】
本発明の請求項３に係る光コネクタのソケットの場合には、スイッチの固定切片部と接触する可動切片部に前記弾性体部を兼用している。よって、部品点数を削減でき、低コスト化が図れる。
【０１４４】
本発明の請求項４に係る光コネクタのソケットは、請求項１等記載の前記弾性体部の代わりに、前記シャッタ部と、前記プラグが前記挿入穴部に挿入されたとき前記シャッタ部と対向する部分とに、磁石を反発するように対向して設けることを特徴とすることもできる。
【０１４５】
よって、本発明の請求項４に係る光コネクタのソケットの場合には、弾性体部の代わりに磁石の反発力によって、シャッタ部が、挿入穴部の入口側へ自動復帰するようにできる。
【０１４６】
本発明の請求項５に係る光コネクタのソケットは、ＤＶＤ( 登録商標) 、ＴＶ、ＳＴＢ（セットトップボックス）、ＣＤ、ＭＤ( 登録商標) 、アンプ等のデジタルオーディオ機器に設けられている。
【０１４７】
このように本発明の請求項５に係る光コネクタのソケットがデジタルオーディオ機器に設けられることで、上述の効果を発揮し、有益に機能する。
【図面の簡単な説明】
【図１】本発明の第１の実施の形態に係る光コネクタのソケットに用いられる第２のハウジング部を示す図であって、同図（Ａ）は側面図、同図（Ｂ）は正面図、同図（Ｃ）は断面図、同図（Ｄ）は背面図、同図（Ｅ）は底面図である。
【図２】本発明の第１の実施の形態に係る光コネクタのソケットに用いられる第１のハウジング部を示す図であって、同図（Ａ）は側面図、同図（Ｂ）は正面図、同図（Ｃ）は断面図、同図（Ｄ）は背面図、同図（Ｅ）は底面図、同図（Ｆ）は同図（Ｅ）のＪで指示した部分の拡大図である。
【図３】本発明の第１の実施の形態に係る光コネクタのソケットの組み立て方を説明するための説明図であって、同図（Ａ）から同図（Ｆ）の方向に組み上がっている様子を示している。ただし、同図（Ｅ）は光素子を設置していない状態を示す参考図である。
【図４】本発明のすべての実施の形態に係る光コネクタのソケットに接続させるＥＩＡＪ規格の角型プラグを示す図であって、同図（Ａ）は正面図、同図（Ｂ）は一部破断した側面図である。
【図５】本発明の第１の実施の形態に係る光コネクタのソケットに、ＥＩＡＪ規格の角型プラグを挿入したときの状態を説明する側面視概略的説明図であって、同図（Ａ）は挿入直前の状態図、同図（Ｂ）〜同図（Ｄ）は挿入途中の状態図、同図（Ｅ）は挿入完了時の状態図である。
【図６】本発明の第１の実施の形態に係る光コネクタのソケットのマイナーチェンジ品を示す図で、同図（Ａ）は平面図、同図（Ｂ）は正面図、同図（Ｃ）は側面視一部透視説明図である。
【図７】本発明の第１の実施の形態に係る光コネクタのソケットのマイナーチェンジ品に用いられるシャッタ部と、弾性体部とを示す図であって、同図（Ａ）はシャッタ部の側面図、同図（Ｂ）はシャッタ部の背面図、同図（Ｃ）は弾性体部の側面図、同図（Ｄ）は弾性体部の正面図である。
【図８】本発明の第１の実施の形態に係る光コネクタのソケットのプラグ先端保持部に円形凸部を延設して突出部とした状態、およびＥＩＡＪ規格の突出部とを説明するための側面視概略的説明図である。
【図９】本発明の第２の実施の形態に係る光コネクタのソケットを説明するための側面視概略的説明図である。
【図１０】本発明の第３の実施の形態に係る光コネクタのソケットを示す断面図である。
【図１１】本発明の第４の実施の形態に係る光コネクタのソケットを示す図であって、同図（Ａ）は正面図、同図（Ｂ）は側面図、同図（Ｃ）は断面図である。
【図１２】本発明の第４の実施の形態に係る光コネクタのソケットに用いられる第２のハウジング部を示す図であって、同図（Ａ）は側面図、同図（Ｂ）は正面図、同図（Ｃ）は断面図である。
【図１３】本発明の第４の実施の形態に係る光コネクタのソケットに用いられる第１のハウジング部を示す図であって、同図（Ａ）は正面図、同図（Ｂ）は側面図、同図（Ｃ）は背面図、同図（Ｄ）は断面図である。
【図１４】本発明の第４の実施の形態に係る光コネクタのソケットに用いられるシャッタ部を示す図であって、同図（Ａ）は正面図、同図（Ｂ）は側面図、同図（Ｃ）は背面図、同図（Ｄ）は底面図である。
【図１５】本発明の第５の実施の形態に係る光コネクタのソケットを示す図であって、同図（Ａ）は側面図、同図（Ｂ）は正面図、同図（Ｃ）は断面図、同図（Ｄ）は背面図、同図（Ｅ）は底面図である。
【符号の説明】
２００′  光コネクタのソケット
２１０′  シャッタ部
２２０′  挿入穴部
２２５′  スペース
２３０Ａ′弾性体部
【図１】
0003808441.tif 000002
【図２】
0003808441.tif 000003
【図３】
0003808441.tif 000004
【図４】
0003808441.tif 000005
【図５】
0003808441.tif 000006
【図６】
0003808441.tif 000007
【図７】
0003808441.tif 000008
【図８】
0003808441.tif 000009
【図９】
0003808441.tif 000010
【図１０】
0003808441.tif 000011
【図１１】
0003808441.tif 000012
【図１２】
0003808441.tif 000013
【図１３】
0003808441.tif 000014
【図１４】
0003808441.tif 000015
【図１５】
0003808441.tif 000016